(57)【要約】【課題】側面発光型ＬＥＤパッケージを実装したＬＥＤランプにおいて、回路部品の耐久性を十分にすること、および熱膨張による不具合を軽減すること。【解決手段】図１は、本発明のＬＥＤランプ１０の構造を示す断面図である。帯状の長方形であるフレキシブルプリント基板１１の端部１１ａには、側面発光型ＬＥＤパッケージ１２と、ツェナーダイオード１３および抵抗器１４とが離間して実装されている。ツェナーダイオード１３および抵抗器１４は、筐体１５に覆われていて、筐体１５との隙間は封止樹脂１８によって埋められている。また、側面発光型ＬＥＤパッケージ１２は、筐体１５と透光板１６によって中空状態に封止されている。【選択図】図１
2009129928.tif 000002
【特許請求の範囲】
【請求項１】
方形状のフレキシブルプリント基板と、
前記フレキシブルプリント基板の端部に、発光面がフレキシブルプリント基板の辺と並行になるように実装された側面発光型ＬＥＤパッケージと、
前記フレキシブルプリント基板の端部に、前記側面発光型ＬＥＤパッケージと離間して実装された回路部品と、
前記側面発光型ＬＥＤパッケージおよび前記回路部品を覆い、前記側面発光型ＬＥＤパッケージの発光面側が透光性の部材からなる筐体と、
で構成され、
前記回路部品は、前記筐体内において樹脂により封止され、
前記側面発光型ＬＥＤパッケージは、前記筐体により中空に封止されている、
ことを特徴とするＬＥＤランプ。
【請求項２】
前記側面発光型ＬＥＤパッケージは、白色発光であることを特徴とする請求項１に記載のＬＥＤランプ。
【発明の詳細な説明】
【技術分野】
【０００１】
本発明は、フレキシブルプリント基板に側面発光型ＬＥＤパッケージを実装したＬＥＤランプに関する。
【背景技術】
【０００２】
近年、白色ＬＥＤを用いたさまざまな照明装置が実現され、車載用の照明などの用途にも使われている。そのような照明装置として、たとえば導光板の側面にＬＥＤ発光装置を配置することで、導光板の表面を均一に発光させるバックライト方式の照明装置がある。
【０００３】
バックライト用光源として用いられているＬＥＤパッケージに、実装面に対して並行に発光する側面発光型ＬＥＤパッケージが従来より知られている（特許文献１）。この側面発光型ＬＥＤパッケージは、実装面に対する高さが小さいので、フレキシブルプリント基板上に実装することで薄型のＬＥＤランプを実現することができる。
【特許文献１】特許第３９７２８８９号
【発明の開示】
【発明が解決しようとする課題】
【０００４】
しかし、側面発光型ＬＥＤパッケージをフレキシブルプリント基板に実装した薄型のＬＥＤランプは、その薄さによって強度が低下するため、フレキシブルプリント基板上に設けたツェナーダイオードや抵抗器などの回路部品の耐久性が問題となる。また、ＬＥＤの発熱に起因する熱膨張も問題となる。さらに、従来の側面発光型ＬＥＤパッケージは、面発光装置のバックライト用途にしか用いられておらず、汎用性に乏しかった。
【０００５】
一方で、車室内はエアバッグやオーディオ機器、ナビゲーションシステムなど、さまざまな物が、安全性および部材同士の干渉を配慮された上で配置されている。このため、新規の照明、発光表示を行おうとした場合、許容される光源およびその配線のスペースはごく僅かであり、従来のＬＥＤランプを配置することはできなかった。
【０００６】
そこで本発明の目的は、側面発光型ＬＥＤパッケージをフレキシブルプリント基板に実装した薄型のＬＥＤランプにおいて、十分な耐久性を備え、熱膨張による不具合が軽減されたＬＥＤランプを実現することにある。さらには、側面発光型ＬＥＤパッケージに汎用性を付与し、車室内の限られたスペースに配置可能なＬＥＤランプを実現することにある。
【課題を解決するための手段】
【０００７】
第１の発明は、方形状のフレキシブルプリント基板と、フレキシブルプリント基板の端部に、発光面がフレキシブルプリント基板の辺と並行になるように実装された側面発光型ＬＥＤパッケージと、フレキシブルプリント基板の端部に、側面発光型ＬＥＤパッケージと離間して実装された回路部品と、側面発光型ＬＥＤパッケージおよび回路部品を覆い、側面発光型ＬＥＤパッケージの発光面側が透光性の部材からなる筐体と、で構成され、回路部品は、筐体内において樹脂により封止され、側面発光型ＬＥＤパッケージは、筐体により中空に封止されている、ことを特徴とするＬＥＤランプである。
【０００８】
側面発光型ＬＥＤパッケージには、従来より知られる種々の構造のものを用いることができるが、実装面方向の高さが小さなものが望ましい。ＬＥＤランプをより薄型とすることができるからである。また、側面発光型ＬＥＤパッケージの発光色も、種々のものが使用でき、白色発光のものを用いて照明用途のＬＥＤランプとすることもできる。また、側面発光型ＬＥＤパッケージは複数個実装してもよい。
【０００９】
回路部品は、たとえば、静電気放電保護用に用いる回路部品であり、ツェナーダイオードや抵抗器などである。
【００１０】
第２の発明は、第１の発明において、側面発光型ＬＥＤパッケージは、白色発光であることを特徴とするＬＥＤランプである。
【発明の効果】
【００１１】
本発明によると、回路部品が樹脂により封止されているため、薄型のＬＥＤランプであっても十分な強度を保持することができ、回路部品の耐久性も十分となる。また、側面発光型ＬＥＤパッケージは中空状態であるため、熱膨張による不具合を軽減することができる。また、本発明のＬＥＤランプは薄型であるため、狭いスペースに配置が可能であり、たとえば、車室内の限られたスペースに配置することができる。
【発明を実施するための最良の形態】
【００１２】
以下、本発明の具体的な実施例について図を参照しながら説明するが、本発明は実施例に限定されるものではない。
【実施例１】
【００１３】
図１は、実施例１のＬＥＤランプ１０の構造を示す断面図、図２は、ＬＥＤランプ１０の外観を示す図である。ＬＥＤランプ１０は、フレキシブルプリント基板１１と、フレキシブルプリント基板１１上に実装された側面発光型ＬＥＤパッケージ１２、ツェナーダイオード１３、抵抗器１４と、筐体１５と、透光板１６と、コネクタ１７と、によって構成されている。ツェナーダイオード１３および抵抗器１４は本発明の回路部品に相当する。
【００１４】
まず、側面発光型ＬＥＤパッケージ１２の構造について説明する。
【００１５】
図３は、側面発光型ＬＥＤパッケージ１２の構造を示す断面図であり、図４は側面発光型ＬＥＤパッケージ１２の外観を示す斜視図である。この側面発光型ＬＥＤパッケージ１２は、サブマウント２１上にフリップチップ実装された青色発光のＬＥＤチップ２０と、ＬＥＤチップ２０を収納する凹部２７を有したパッケージ２２と、パッケージ２２の凹部２７を満たし、ＬＥＤチップ２０を封止する封止樹脂２６と、で構成されている。封止樹脂２６の上部表面が発光面２６ａである。なお、もちろん、フリップチップ実装ではなく、サブマウントを介さずにフェイスアップ実装としてもよい。
【００１６】
パッケージ２２の凹部２７の側面２２ａは、発光面２６ａ方向に向かうにつれて広がるテーパー形状となっている。パッケージ２２の凹部２７の底面２８にはリード電極２４が形成されている。リード電極２４は、図３の紙面垂直方向裏面側に向かってパッケージ２２の実装面２９側の外部に露出し、パッケージ２２の実装面２９に沿って発光面２６ａ側に向かって折り曲げられ、さらにパッケージ２２の実装面２９および発光面２６ａに垂直な側面３０に沿って図４の上方に向かって折り曲げられて、外部端子２３を形成している。また、リード電極２４上には、ＬＥＤチップ２０が実装されたサブマウント２１が固定されている。サブマウント２１表面に形成された配線（図示しない）と、リード電極２４とが、ワイヤ２５によって接続されている。
【００１７】
封止樹脂２６には黄色発光蛍光体が混合されている。ＬＥＤチップ２０からの青色光と、黄色発光蛍光体による黄色光の混色により、側面発光型ＬＥＤパッケージ１２は白色光を、実装面に対して水平な方向に発光する。
【００１８】
次に、ＬＥＤランプ１０の構造について詳細に説明する。
【００１９】
フレキシブルプリント基板１１は、帯状の長方形であり、一方の端部にはコネクタ１７が取り付けられていて、他方の端部１１ａには、側面発光型ＬＥＤパッケージ１２、ツェナーダイオード１３、抵抗器１４が実装されている。ツェナーダイオード１３と抵抗器１４は、側面発光型ＬＥＤパッケージ１２よりもコネクタ１７側に離間して実装されている。また、側面発光型ＬＥＤパッケージ１２、ツェナーダイオード１３、抵抗器１４は、いずれもフレキシブルプリント基板１１の同一の面上に実装されている。
【００２０】
側面発光型ＬＥＤパッケージ１２は、上述のように白色光を発光するものである。側面発光型ＬＥＤパッケージ１２は、発光面２６ａがフレキシブルプリント基板１１表面に垂直で、かつ、フレキシブルプリント基板１１の幅方向と並行になるように実装されている。
【００２１】
ツェナーダイオード１３は、側面発光型ＬＥＤパッケージ１２に過大な電圧がかかるのを防止し、側面発光型ＬＥＤパッケージ１２の破壊や性能劣化を防止するものである。
【００２２】
筐体１５と透光板１６は、フレキシブルプリント基板１１の端部１１ａを覆っている。筐体１５は中空の直方体状であり、側面発光型ＬＥＤパッケージ１２と、ツェナーダイオード１３および抵抗器１４とをそれぞれ分離して覆うように仕切り１５ａが設けられている。透光板１６は、側面発光型ＬＥＤパッケージ１２の発光面２６ａ側に配置されている。ツェナーダイオード１３および抵抗器１４は筐体１５に覆われていて、筐体１５との隙間は封止樹脂１８によって埋められている。側面発光型ＬＥＤパッケージ１２は、筐体１５と透光板１６によって中空状態に封止されている。
【００２３】
このＬＥＤランプ１０は、フレキシブルプリント基板１１の長手方向に発光するものである。また、実装面（フレキシブルプリント基板１１表面）に対する高さが小さい側面発光型ＬＥＤパッケージ１２を用いるものであるから、ＬＥＤランプ１０もまた薄型である。
【００２４】
このＬＥＤランプ１０において、ツェナーダイオード１３および抵抗器１４は封止樹脂１８によって封止されている。そのため、ＬＥＤランプ１０は薄型でありながら、十分な強度を有し、ツェナーダイオード１３および抵抗器１４の耐久性に問題は生じない。また、側面発光型ＬＥＤパッケージ１２は、中空状態に封止されている。そのため、側面発光型ＬＥＤパッケージ１２の発熱に起因した熱膨張による不具合は軽減される。また、側面発光型ＬＥＤパッケージ１２から発せられた光は、屈折率の低い空気を介して透光板１６に照射されるため、薄型でありながら、均一な発光を得ることができる。
【実施例２】
【００２５】
実施例２は、本発明のＬＥＤランプを光源とするルームランプ１００である。図５は、ルームランプ１００の構造を示す図である。図５（ａ）は、ルームランプ１００の正面図、図５（ｂ）は、図５（ａ）におけるＡ−Ａ断面図、図５（ｃ）は、図５（ｂ）のＢ部拡大図である。ルームランプ１００は、導光板１０１と、ケース基板１０２と、アウターレンズ１０３と、８個の実施例１のＬＥＤランプ１０と、により構成されている。そして、ケース基板１０２とアウターレンズ１０３とでケースが構成されている。このルームランプ１００は、ＬＥＤランプ１０を光源として導光板１０１を均一に面発光させるバックライト方式の照明装置である。
【００２６】
導光板１０１は、略長方形のアクリル樹脂からなる樹脂板であり、長手方向の一方の側面１０１ａは直線状となっている。８個のＬＥＤランプ１０は、この導光板１０１の側面１０１ａと、ＬＥＤランプ１０４の発光方向が沿うように、等間隔に配置されている。導光板１０１は、ケース基板１０２上に設置され、導光板１０１の表面側は、アウターレンズ１０３が覆っている。そのアウターレンズ１０３中央部の大部分は、導光板１０１の形状にほぼ一致した透光部１０３ａで構成されている。また、導光板１０１の裏面には、均一に面発光するように塗料が塗布されている。
【００２７】
ＬＥＤランプ１０から出射した光は、導光板１０１内に入射し、導光板１０１裏面の塗料により反射されて導光板１０１表面からアウターレンズ１０３の透光部１０３ａを介して出射する。これにより、導光板１０１表面全体は均一に面発光する。
【００２８】
ＬＥＤランプ１０は薄型であるため、このルームランプ１００も薄型とすることができる。
【００２９】
なお、実施例１のＬＥＤランプ１０は、側面発光型ＬＥＤパッケージを１個実装するものであるが、本発明のＬＥＤランプは、側面発光型ＬＥＤパッケージを複数個実装するものであってもよい。また、実施例１では、側面発光型ＬＥＤパッケージの発光面がフレキシブルプリント基板の幅方向と並行になるように、側面発光型ＬＥＤパッケージを実装しているが、本発明のＬＥＤランプは、側面発光型ＬＥＤパッケージの発光面がフレキシブルプリント基板の長手方向と並行となるように実装してもよい。この場合は、フレキシブルプリント基板の幅方向に発光するＬＥＤランプとなる。また、側面発光型ＬＥＤパッケージの構造は実施例に示したものに限るものではなく、従来より知られる種々の構造のものを用いることができる。ただし、薄型のＬＥＤランプとするために、側面発光型ＬＥＤパッケージの高さは小さいことが望ましい。また、実施例１では側面発光型ＬＥＤパッケージの発光色を白色としたが、これに限定されるものではなく、青、緑、赤などさまざまな発光色のものを用いることができる。
【００３０】
また、実施例２では、本発明のＬＥＤランプを用いたルームランプについて示しているが、これに限定されるものではなく、さまざまな照明装置、表示装置の光源として本発明のＬＥＤランプを利用することができる。特に本発明のＬＥＤランプは薄型であるから、車室内などの限られたスペースに配置することができ、また、照明装置や表示装置の薄型化を図ることができる。
【産業上の利用可能性】
【００３１】
本発明のＬＥＤランプは、導光板を用いた面発光照明装置などの照明装置の光源として用いることができる。
【図面の簡単な説明】
【００３２】
【図１】実施例１のＬＥＤランプ１０の構造を示す断面図。
【図２】実施例１のＬＥＤランプ１０の外観を示す図。
【図３】側面発光型ＬＥＤパッケージ１２の構造を示す断面図。
【図４】側面発光型ＬＥＤパッケージ１２の外観を示す斜視図。
【図５】ルームランプ１００の構造を示す図。
【符号の説明】
【００３３】
１０：ＬＥＤランプ
１１：フレキシブルプリント基板
１２：側面発光型ＬＥＤパッケージ
１３：ツェナーダイオード
１４：抵抗器
１５：筐体
１６：透光板
１７：コネクタ
１８：封止樹脂
１００：ルームランプ
１０１：導光板
１０２：ケース
１０３：アウターレンズ
【図１】
2009129928.tif 000003
【図２】
2009129928.tif 000004
【図３】
2009129928.tif 000005
【図４】
2009129928.tif 000006
【図５】
2009129928.tif 000007